(57)【特許請求の範囲】
【請求項１】
光電変換により光学像を表す画像データを出力する走査部と、
盤面に被写体が載置される板状の原稿台ガラスと、
前記走査部に前記被写体の光学像を入力する光学系と、
前記原稿台ガラスの盤面縁部を被覆している樹脂材からなる縁部材と、
前記原稿台ガラスの縁部を間に挟んで前記縁部材に対向する狭持部と前記縁部材に係止されている基部とを有する留め部材と、
を備え、
前記基部は板状に形成され、
前記縁部材は、前記基部の側方縁部が嵌合し前記留め部材を前記原稿台ガラスに対し遠方から近方に案内する互いに平行な２条のガイド溝と、前記ガイド溝に沿って前記原稿台ガラスの遠方から近方に前記留め部材が移動するとき前記基部を押し上げて弾性変形させ前記基部が前記原稿台ガラスに当接する位置まで移動すると前記原稿台ガラスから遠方の前記基部の端部に当接することで前記基部の移動を規制する突部とを有することを特徴とする画像読み取り装置。
【請求項２】
前記留め部材は、前記原稿台ガラスの縁部の短辺部の少なくとも２カ所に当接する位置で前記縁部材に係止されていることを特徴とする請求項１記載の画像読み取り装置。
【請求項３】
前記縁部材は、前記被写体に当接し前記被写体を前記原稿台ガラスの盤面上に位置決めすることを特徴とする請求項１又は２記載の画像読み取り装置。
【請求項４】
前記原稿台ガラスは、前記縁部材に両面粘着テープで接合されていることを特徴とする請求項１、２又は３記載の画像読み取り装置。
【発明の詳細な説明】
【０００１】
【発明の属する技術分野】
本発明は、画像読み取り装置に関するものである。
【０００２】
【従来の技術】
従来、被写体の光学像を読み取る装置として、盤面に被写体が載置される板状の原稿台ガラスを筐体の上面に備えるフラットベット型の画像読み取り装置が知られている。
【０００３】
このようなフラットベット型画像読み取り装置において原稿台ガラスの周縁には、被写体に当接しその被写体を原稿台ガラスの盤面上に位置決めする原稿ガイド等の縁部材が設けられている。この縁部材には例えば原稿台ガラスの盤面縁部が両面粘着テープで接合され、あるいは筐体に設けられた支持部材で下から支持された原稿台ガラスの盤面縁部が当接させられ、当該縁部材は盤面縁部を被覆している。
【０００４】
【発明が解決しようとする課題】
しかしながら、縁部材は一般に樹脂材で形成されているため変形し易く、原稿台ガラスを上述したように接合又は当接させただけではその縁部材の変形を十分に抑制することができない。特に、原稿台ガラスの縁部のうち短辺部に接して設けられる縁部材については反りが発生し、縁部に沿う方向の両端部で原稿台ガラスから浮き上がってしまう。そのため、例えば縁部材で原稿ガイドを構成している場合には、原稿の位置決めを正確に行うことができなくなる。
【０００５】
本発明は、上記問題に鑑みて創作されたものであって、その目的は、原稿台ガラスの縁部を被覆する縁部材の変形を抑制する画像読み取り装置を提供することにある。
【０００６】
【課題を解決するための手段】
本発明に係る画像読み取り装置によると、光電変換により光学像を表す画像データを出力する走査部と、盤面に被写体が載置される板状の原稿台ガラスと、走査部に被写体の光学像を入力する光学系と、原稿台ガラスの盤面縁部を被覆している樹脂材からなる縁部材と、原稿台ガラスの縁部を間に挟んで縁部材に対向する狭持部と縁部材に係止されている基部とを有する留め部材とを備える。この画像読み取り装置によると、縁部材に係止されている留め部材によりその挟持部と縁部材との間にガラスの縁部を挟んでいるので、変形し難い原稿台ガラスと変形容易な縁部材とを互いに圧接させることができる。したがってこの画像読み取り装置によれば、縁部材の変形を抑制することができる。
また、本発明に係る画像読み取り装置によると、縁部材は、基部の側方縁部が嵌合し留め部材を原稿台ガラスに対し遠方から近方に案内する互いに平行な２条のガイド溝と、ガイド溝に沿って原稿台ガラスの遠方から近方に留め部材が移動するとき基部を押し上げて弾性変形させ基部が原稿台ガラスに当接する位置まで移動すると原稿台ガラスから遠方の基部の端部に当接することで基部の移動を規制する突部とを有するので、特別な工具を用いることなしに容易に留め部材を組み付けることができる。
【０００７】
本発明に係る画像読み取り装置によると、留め部材は、原稿台ガラスの縁部の短辺部の少なくとも２カ所に当接する位置で縁部材に係止されているので、縁部材の反りの発生を抑制することができる。
【０００８】
本発明に係る画像読み取り装置によると、縁部材は、被写体に当接し被写体を原稿台ガラスの盤面上に位置決めする機能を有しているので、被写体の位置決めを正確に行うことができる。
【０００９】
本発明に係る画像読み取り装置によると、原稿台ガラスは、縁部材に両面粘着テープで接合されて密着しているので、縁部材の変形の抑制効果をより一層向上させることができる。
【００１１】
【発明の実施の形態】
以下、本発明の実施の形態を示す一実施例を図面に基づいて説明する。図２は、本発明の一実施例による画像読み取り装置としてのイメージスキャナ１０を示している。
【００１２】
イメージスキャナ１０は、箱形の筐体１２の上面に原稿台ガラス１４を備えた所謂フラットベッド型である。図１〜図３に示すように原稿台ガラス１４は長方形の板状を呈し、その盤面１５上に印刷文書、写真、書籍等の被写体Ｍが載置される。
【００１３】
イメージスキャナ１０は原稿台ガラス１４の周縁に、被写体Ｍに当接し原稿台１４の盤面１５上に被写体Ｍを位置決めする矩形枠状の原稿ガイド１６を備えている。この原稿ガイド１６は樹脂材で形成されている。本実施例では原稿ガイド１６の内縁部１８ａ，１８ｂ，１８ｃ，１８ｄがそれぞれ原稿台ガラス１４の各縁部１７ａ，１７ｂ，１７ｃ，１７ｄの盤面１５側を被覆する状態で、原稿台ガラス１４が原稿ガイド１６に取り付けられている。このように原稿ガイド１６が特許請求の範囲に記載の「縁部材」の一例である。
【００１４】
図２に示すようにキャリッジ２４は、原稿台ガラス１４の盤面１５と平行に往復移動自在に筐体１２に収容されている。キャリッジ２４は光学系３０とリニアイメージセンサ２０を搭載している。キャリッジ２４は原稿台ガラス１４の盤面１５に対し平行なガイド用のシャフト等にスライド自在に係止されている。ガイド用のシャフトの長手方向軸は図２のａ方向に延伸している。キャリッジ２４は例えばベルトにより牽引されてリニアイメージセンサ２０及び光学系３０を図２のａ方向に運搬する。
【００１５】
光学系３０は、光源２２、ミラー３４、集光レンズ３６等で構成されている。光源２２は蛍光管ランプ等の管照明装置から構成されている。光源２２は、その長手方向軸がリニアイメージセンサ２０の長手方向軸と平行に延びる姿勢でキャリッジ２４に搭載されている。図２に一点鎖線で示すように、光源２２により照射された主走査線上の被写体の反射光像はミラー３４及び集光レンズ３６によりリニアイメージセンサ２０に結像される。尚、イメージスキャナ１０には図２に二点鎖線で示す位置に、透過原稿用光源を備えた透過原稿ユニット３８を設けてもよい。
【００１６】
図９は、イメージスキャナ１０を示すブロック図である。
走査部４０は、リニアイメージセンサ２０、主走査駆動部１０２、副走査駆動部２６及び信号処理部１００を備える。
【００１７】
リニアイメージセンサ２０は、フォトダイオード等の複数の光電変換素子が図２において紙面垂直方向に直線状に並ぶ姿勢でキャリッジ２４に搭載されている。リニアイメージセンサ２０は、光学系３０により入力される主走査線上の光学像を走査しその光学像の濃淡に相関する電気信号を出力する。具体的にリニアイメージセンサ２０は、所定の波長領域の光を光電変換素子で光電変換して得られる電荷を一定時間蓄積し、受光量に応じた電気信号を出力する。リニアイメージセンサ２０としてはレンズ縮小型を用いてもよいし密着型を用いてもよい。また、カラーフィルタアレイを用いた３又は６ライン構成のカラーイメージセンサを用いてもよい。
【００１８】
主走査駆動部１０２はキャリッジ２４に搭載されている。主走査駆動部１０２は、リニアイメージセンサ２０を駆動するために必要な駆動パルスを生成し、リニアイメージセンサ２０に出力する電子回路である。主走査駆動部１０２は、例えば同期信号発生器、駆動用タイミングジェネレータ等から構成される。
【００１９】
副走査駆動部２６は、キャリッジ２４に係止されたベルト、このベルトを回転させるモータ及び歯車列、駆動回路等で構成され筐体１２に収容されている。副走査駆動部２６がキャリッジ２４をベルトで牽引することで図２の紙面垂直方向に延びる主走査線がそれに垂直なａ方向に移動し２次元画像の走査が可能となる。
【００２０】
信号処理部１００はアナログ信号処理部１０４、Ａ／Ｄ変換器１０６、ディジタル信号処理部１０８等から構成される。信号処理部１００は、リニアイメージセンサ２０の出力信号を処理し光学系３０によってリニアイメージセンサ２０に入力される光学像を表す画像データを出力する。
【００２１】
具体的にアナログ信号処理部１０４はキャリッジ２４に固定された基板に搭載される。アナログ信号処理部１０４は、リニアイメージセンサ２０から出力されたアナログ表現の電気信号に対して増幅、雑音低減処理等のアナログ信号処理を施して出力する。Ａ／Ｄ変換器１０６はキャリッジ２４に固定された基板に搭載される。Ａ／Ｄ変換器１０６は、アナログ信号処理部１０４から出力されたアナログ表現の電気信号を所定ビット長のディジタル表現の画像信号に量子化して出力する。ディジタル信号処理部１０８は筐体１２に固定された基板に搭載される。ディジタル信号処理部１０８はＡ／Ｄ変換器１０６から出力された画像信号に対しシェーディング補正、ガンマ補正、画素補間等の各種のディジタル信号処理を施して画像データを作成する。尚、ディジタル信号処理部１０８で施す各種の処理は、制御部１１０又はイメージスキャナ１０に接続される画像処理装置１５０で実行するコンピュータプログラムによる処理に置き換えてもよい。
【００２２】
制御部１１０はＣＰＵ１３０、ＲＡＭ１３２及びＲＯＭ１３４を備えるマイクロコンピュータで構成され、筐体１２に固定された基板に搭載されている。制御部１１０は走査部４０、光源２２等にバスで接続されている。制御部１１０は、ＲＯＭ１３４に記憶されているコンピュータプログラムを画像処理装置１５０の指令に応じて実行し、主走査駆動部１０２、副走査駆動部２６、光源２２、信号処理部１００等を制御する。
【００２３】
インタフェース１４０は、ＵＳＢ、ＩＥＥＥ１３９４等の所定の規格に従って構成され、筐体１２に固定された基板に搭載されている。インタフェース１４０は信号処理部１００、制御部１１０等にバス接続されている。インタフェース１４０は信号処理部１００から出力される画像データをパーソナルコンピュータ等の画像処理装置１５０に転送する。
【００２４】
次に、原稿台ガラス１４の原稿ガイド１６への取り付け構造について詳細に説明する。
【００２５】
図１及び図２に示すように、原稿台ガラス１４の４つの縁部のうち短辺部をなす縁部の一方１７ａ（以下、台縁部１７ａともいう。）と、その台縁部１７ａを被覆する原稿ガイド１６の内縁部１８ａ（以下、ガイド内縁部１８ａともいう。）は留め部材５０により互いに圧接させられている。以下、留め部材５０による台縁部１７ａとガイド内縁部１８ａとの圧接構造について詳細に説明する。
【００２６】
留め部材５０は樹脂材で形成され、図４に示すように長手の板状を呈する基部５２と、基部５２の長手方向の一端縁部から階段状に延出する挟持部５４を備えている。図５（ｂ）に示すように、基部５２は原稿ガイド１６に係止される。また基部５２が原稿ガイド１６に係止された状態では同図に示すように、挟持部５４の先端部６４が台縁部１７ａを挟んでガイド内縁部１８ａに対向する。
【００２７】
図４に示すように基部５２は、その長手方向に延びる中心線Ｏに対し線対称な形状である。基部５２は、その長手方向で挟持部５４の近方から遠方に向かうにつれ幅が段階的に小さくなる大幅部５５、中幅部５６及び小幅部５７を有する。大幅部５５の幅方向両側の側方縁部には嵌合部５８ａ，５８ｂが設けられている。図５（ａ）に示すように、それら嵌合部５８ａ，５８ｂは原稿ガイド１６の２条のガイド溝７２ａ，７２ｂにそれぞれ嵌合させられる。この嵌合の結果、後に詳述するように基部５２が原稿台ガイド１４に係止させられる。また基部５２の幅方向中央部には長手方向に延びる溝６０が設けられている。溝６０は基部５２を板厚方向に貫通し、基部５２の長手方向の各端部には至らない長さで延びている。
【００２８】
図４に示すように挟持部５４は、基部５２の大幅部５５側の端縁部から基部５２に対し垂直に延出する基端部６２と、基端部６２の延出端縁部から基端部６２に対し垂直に基部５２とは反対側に延出する前記先端部６４を有する。基端部６２及び先端部６４は共に矩形板状を呈し、基端部６２は基部５２に垂直な仮想平面上に拡がり、先端部６４は基部５２に平行な仮想平面上に拡がっている。図５（ｂ）に示すように、基部５２における基端部６２とは反対側の面８３が接する面（同図では６８が相当する）と先端部６４の基端部６２側の面６７との離間距離は、原稿台ガラス１４の板厚と同じかそれより僅かに小さな値に設定されている。基端部６２及び先端部６４の幅は大幅部５５より小さく設定されている。
【００２９】
留め部材５０は図４に示すように、さらに一対のガイド壁６６ａ，６６ｂを備えている。各ガイド壁６６ａ，６６ｂは長手の矩形板状を呈し、大幅部５５の基端部６２側の面上を基部５２の長手方向に互いに平行に延びている。各ガイド壁６６ａ，６６ｂの長手方向の一端部は基端部６２の幅方向両縁部に接続され、各ガイド壁６６ａ，６６ｂは基端部６２及び大幅部５５に対し垂直に交わっている。
【００３０】
図１に示すように、原稿ガイド１６の原稿台ガラス１４側であって台縁部１７ａの端面１９ａの近傍には、留め部材５０が係止される係止部７０が２つ設けられている。それら係止部７０は、台縁部１７ａの両角部に近接する２カ所に互いに離間して設けられている。図１及び図６に示すように各係止部７０はそれぞれ、前記ガイド溝７２ａ，７２ｂと、第一突部７６と、第二突部７８を備えている。本実施例において各係止部７０の構成は同一であり、以下、一方の係止部７０の構成についてのみ詳細に説明する。
【００３１】
図５及び図６に示すようにガイド溝７２ａ，７２ｂは、台縁部１７ａの端面１９ａ（図６（ａ）では二点鎖線で示す）に対し垂直でその端面１９ａから離間する方向に互いに平行に延びている。それらガイド溝７２ａ，７２ｂは、互いにＬ字状に交差する側板８０ａ，８０ｂ及び天板８１ａ，８１ｂと原稿ガイド１６とで形成されている。
【００３２】
側板８０ａ，８０ｂは各々の内壁７９ａ，７９ｂを互いに平行に対向させる姿勢で台縁部１７ａの端面１９ａから離間する方向にその端面１９ａに垂直に原稿ガイド１６の原稿台ガラス１４側を延びている。それら側板８０ａ，８０ｂは原稿ガイド１６に直立している。側板８０ａ，８０ｂの各内壁７９ａ，７９ｂの配設間隔は、留め部材５０の大幅部５５の幅とほぼ同じに設定されている。天板８１ａ，８１ｂは、側板８０ａ，８０ｂにおける原稿ガイド１６とは反対側の端縁部でそれら側板の８０ａ，８０ｂの対向方向に垂直に屈曲し内壁８２ａ，８２ｂを原稿ガイド１６に平行に対向させる姿勢で延びている。すなわちそれら天板８１ａ，８１ｂも台縁部１７ａの端面１９ａから離間する方向にその端面１９ａに垂直に延びている。天板８１ａ，８１ｂの各内壁８２ａ，８２ｂと原稿ガイド１６との間隔は、留め部材５０の嵌合部５８ａ，５８ｂの板厚とほぼ同じに設定されている。また天板８１ａ，８１ｂにおける側板８０ａ，８０ｂとは反対側の端縁部同士の間隔は、留め部材５０の先端部６４及び基端部６２の幅すなわちガイド壁６６ａ，６６ｂの互いの対向面とは反対側面（外壁）同士の間隔とほぼ同じに設定されている。
【００３３】
本実施例では以上説明した側板８０ａの内壁７９ａと、天板８１ａの内壁８２ａと、原稿ガイド１６のうち内壁８２ａに対向する部分とで一方のガイド溝７２ａが形成され、側板８０ｂの内壁７９ｂと天板８１ｂの内壁８２ｂと原稿ガイド１６のうち内壁８２ｂに対向する部分とで他方のガイド溝７２ａが形成されている。
【００３４】
図６（ａ）に示すように第一突部７６は原稿ガイド１６の原稿台ガラス１４側において、側板８０ａ，８０ｂの間の中央部分を台縁部１７ａの端面１９ａに垂直に延びる仮想線Ｍ上で端面１９ａから所定だけ離間した位置に突出形成されている。第一突部７６は概ね板状を呈し、その一方の面８５を台縁部１７ａの端面１９ａに平行に対向させる姿勢で原稿ガイド１６に直立している。図５（ａ）に示すように第一突部７６の台縁部１７ａ側の面８５と台縁部１７ａの端面１９ａの離間距離は、留め部材５０の基部５２の長さとほぼ同じに設定されている。この設定により第一突部７６の面８５は図５（ａ），（ｂ）に示す如く基部５２が原稿ガイド１６に係止された状態で基部５２の小幅部５７側の端面８６に当接する。以下、この第一突部７６の面８５を当接面８５という。また図５（ｂ）に示すように第一突部７６の突出高さは、留め部材５０の基部５２（小幅部５７）の板厚と同じかそれより僅かに小さく設定されている。この第一突部７６が特許請求の範囲に記載の「突部」に相当する。
【００３５】
図６（ａ）に示すように第二突部７８は原稿ガイド１６の原稿台ガラス１４側において、前記仮想線Ｍ上で台縁部１７ａの端面１９ａに対し第二突部７８よりも近い位置に突出形成されている。第二突部７８は概ね板状を呈し、前記仮想線Ｍに沿って所定長さで延びる姿勢で原稿ガイド１６に直立している。図５（ａ）に示すように第二突部７８の板厚は、留め部材５０の溝６０の幅とほぼ同じに設定されている。また図５（ｂ）に示すように、第二突部７６の突出高さは、留め部材５０の基部５２の板厚より大きく設定されている。
【００３６】
尚、上述した側板８０ａ，８０ｂ及び天板８１ａ，８１ｂ、第一突部７６、第二突部７８は、例えば原稿ガイド１６の成形時に成形型により一体形成することで安価に形成できるが、それらを原稿ガイド１６と別体に形成してもよい。
【００３７】
以下、留め部材５０の基部５２を原稿ガイド１６の係止部７０に係止させ、留め部材５０の挟持部５４により台縁部１７ａとガイド内縁部１８ａとを圧接させる方法を説明する。
【００３８】
まず図７（ａ）に示すように、基部５２における基端部６２とは反対側の面８３を原稿ガイド１６における原稿台ガラス１４側の面６８に向かい合わせ、側方縁部５８ａ，５８ｂをそれぞれガイド溝７２ａ，７２ｂに台縁部１７ａの端面１９ａより遠い側から嵌入する。このとき第一突部７６の突出端部は、基部５２の面８３のうち中幅部５６部分を押圧し基部５２を弾性変形させる。このとき、大幅部５５における基端部６２及びガイド壁６６ａ，ｂのようにリブとして機能するものが設けられていない中幅部５６は、変形が容易である。またこのとき第二突部７８は、留め部材の溝６０に嵌入する。
【００３９】
次に図７（ｂ）に示すように、ガイド溝７２ａ，７２ｂに嵌合部５８ａ，５８ｂをそれぞれ嵌合したまま摺接させつつ、かつ天板８１ａ，８１ｂにおける側板８０ａ，８０ｂとは反対側の端縁部に留め部材５０のガイド壁６６ａ，６６ｂをそれぞれ摺接させつつ留め部材５０を台縁部１７ａの遠方から近方に向かってスライド移動させる。このとき第一突部７６の突出端部は、基部５２の面８３のうち中幅部５６又は小幅部５７部分を押圧し基部５２を弾性変形させる。小幅部５７もリブとして機能するものが設けられていないので、変形が容易である。また留め部材５０のスライド移動時において第二突部７８は、留め部材５０の移動に伴い溝６０の内壁に摺接する。このように本実施例では、ガイド溝７２ａ，７２ｂがそれらに摺接する嵌合部５８ａ，５８を案内し天板８１ａ，８１の突出端縁部がそれらに摺接するガイド壁６６ａ，６６ｂを案内し第二突部７８が溝６０内を摺動するので、留め部材５０の移動方向を容易に規制することができる。さらにこの留め部材５０のスライド移動時において挟持部５４の先端部６４はその基端部６２側の面６７を盤面１５とは反対側の台縁部１７ａの面８４に摺接させつつその面８４上を移動する。
【００４０】
留め部材５０の台縁部１７側への移動の結果、図７（ｃ）に示すように基端部６２の先端部６４側の面６９が台縁部１７ａの端面１９ａに当接した場合には、第一突部７６の突出端部が基部５２の面８３に当接しなくなり、その結果復元力により元の形状に戻った基部５２の小幅部５７側端面８６が第一突部７６の当接面８５に当接し基部５２が第一突部７６と台縁部１７ａとの間で挟まれる。この状態から留め部材５０を動かすには基部５２を再度弾性変形させる必要があり、したがって当該状態では、基部５２に弾性変形力が作用されない限り留め部材５０の移動を規制することができる。以上により基部５２が原稿ガイド１６に係止させられる。そしてこの基部５２の係止状態では、挟持部５４の面６７で台縁部１７ａがガイド内縁部１８ａに向かって押圧され、これにより台縁部１７ａとガイド内縁部１８ａとが互いに圧接させられる。
【００４１】
台縁部１７ａは図１及び図２に示すように、ガイド内縁部１８ａに対し留め部材５０で圧接されているだけでなく、両面粘着テープ８８で接合されている。両面粘着テープ８８は、原稿台ガラス１４の短手方向に所定長さで延びる姿勢で設けられている。
【００４２】
図１及び２に示すように、原稿台ガラス１４の４つの縁部のうち短辺部をなす他方の縁部１７ｃ（以下、台縁部１７ｃともいう。）は、その台縁部１７ｃを被覆する原稿ガイド１６の内縁部１８ｃ（以下、ガイド内縁部１８ｃともいう。）に設けられた嵌合溝９０に嵌合されている。
【００４３】
嵌合溝９０は図２及び図８に示すように、ガイド内縁部１８ｃとそのガイド内縁部１８ｃに装着された嵌合溝形成部材９２とで形成されている。嵌合溝形成部材９２は図１及び図８に示すように概ね板状の装着部９４を備えている。この装着部９４は台縁部１７ｃの端面１９ｃに沿って延びる姿勢で原稿ガイド１６の原稿台ガラス１４側に装着されている。また嵌合溝形成部材９２は、装着部９４における台縁部１７ｃに近い側の端縁部から階段状に延出する溝形成部９５を備えている。この溝形成部９５は図８に示すように、上記装着部９４の端縁部から原稿ガイド１６に対し垂直な方向に延出する基端部９６と、基端部９６の延出端縁部からその基端部９６に対し垂直に装着部９４とは反対側に延出する先端部９７を有する。基端部９６及び先端部９７は共に長手の矩形板状を呈し、先端部９７の基端部９６側の面９８はガイド内縁部１８ｃの原稿台ガラス１４側の面９９に平行に対向している。それら面９８，９９と、基端部９６における装着部９４とは反対側の面９３とから嵌合溝９０が形成されている。この嵌合溝９０に台縁部１７ｃが嵌合され、上記面９８と面９９との間にその台縁部１７ｃが板厚方向で挟持されている。
【００４４】
図１に示すように、原稿台ガラス１４の４つの縁部のうち長辺部をなす縁部１７ｂ，１７ｄの各端面には、原稿ガイド１６においてそれら縁部１７ｂ，１７ｄに対応する内縁部１８ｂ，１８ｄに設けられた突条１０１が複数当接している。それら突条１０１は原稿台ガラス１４をその短手方向で位置決めしている。また内縁部１８ｂ，１８ｄにおける内縁部１８ｃの両端近傍に設けられた突条１０１は、原稿台ガラス１４の縁部１７ｃを嵌合溝９０に嵌入するとき縁部１７ｂ，１７ｄに摺接し原稿台ガラス１４を案内する。
【００４５】
イメージスキャナ１０では、以下のようにして原稿台ガラス１４が原稿ガイド１６に取り付けられている。
【００４６】
（i）まず、原稿台ガラス１４の縁部１７ａと原稿ガイド１６の内縁部１８ａのいずれか一方に両面粘着テープ８８の一方の面を貼り付ける。
（ii）次に、原稿台ガラス１４の縁部１７ｂ，１７ｄを原稿ガイド１６の内縁部１８ｂ，１８ｄの突条１０１に摺接させ案内させつつ原稿台ガラス１４の縁部１７ｃを原稿ガイド１６の嵌合溝９０に嵌入し、その縁部１７ｃの端面１９ｃを嵌合溝形成部材９２における基端部９６の面９３に当接させる。
（iii）続いて内縁部１８ｂ，１８ｄの突条１０１により原稿台ガラス１４を短手方向で位置決めしつつ、縁部１７ａ及び内縁部１８ａの一方に貼り付けられた両面粘着テープ８８の他方の面を縁部１７ａ及び内縁部１８ａの他方に貼り付けてそれら縁部１７ａと内縁部１８ａとを接合する。
（iv）引き続いて２つの留め部材５０を用い各々の基部５２の嵌合部５８ａ，５８ｂを原稿ガイド１６に設けられた各係止部７０のガイド溝７２ａ，７２ｂに嵌入する。そして各留め部材５０について、基端部６２が縁部１７ａの端面１９ａに当接するまで縁部１７ａ側に向かってスライド移動させる。これにより各留め部材５０の基端部６２は縁部１７ａの両端部の近傍に当接し、各留め部材５０の先端部６４により縁部１７ａと内縁部１８ａとが圧接される。
【００４７】
本実施例では、原稿台ガラス１４の短辺部をなす縁部１７ａと原稿ガイド１６の内縁部１８ａとが留め部材５０により縁部１７ａの両端部近傍で圧接され、さらに両面粘着テープ８８により接合され密着されているので、変形し難い原稿台ガラス１４の縁部１７ａに変形容易な原稿ガイド１６の内縁部１８ａの全体が保持される。したがって本実施例では、原稿ガイド１６の内縁部１８ａでの反りの発生を抑制することができる。さらに本実施例では、原稿台ガラス１４の短辺部をなす他方の縁部１７ｃも嵌合溝９０への嵌合により原稿ガイド１６の内縁部１８ｃに保持されているので、その内縁部１８ｃについても反りの発生を抑制することができる。このようにイメージスキャナ１０では原稿ガイド１６の短辺部をなす縁部１８ａ，１８ｃで反りの発生が抑制されているので、被写体Ｍを常時正確な位置に位置決めすることができる。したがってイメージスキャナ１０によれば、被写体Ｍを正しい位置で読み取ることができる。
【００４８】
しかも本実施例では、留め部材５０を原稿ガイド１６の係止部７０に係止させるだけで、特別な工具を用いることなく原稿台ガラス１４と原稿ガイド１６とを圧接させることができる。
【００４９】
以上、本発明の一実施例について詳述したが、これはあくまでも例示であって、本発明はそのような実施例の記載によって何ら限定的に解釈されるものではない。
【００５０】
例えば、上述では留め部材を原稿台ガラスの短辺部をなす一方の縁部に２つ当接させる例について説明したが、一縁部に当接させる留め部材の個数は適宜設定してもよく、また原稿台ガラスの短辺部をなす両方の縁部に留め部材を当接させてもよいし、原稿台ガラスの長辺部をなす一方の縁部又は両縁部に留め部材を当接させてもよい。
【００５１】
また上述の実施例では縁部材としての原稿ガイドに設けた側板と天板とによりガイド溝を形成していたが、ガイド溝を縁部材に直に設けてもよい。
【図面の簡単な説明】
【図１】本発明の一実施例によるイメージスキャナの原稿台ガラスを原稿ガイドに取り付けた様子を示す底面図である。
【図２】本発明の一実施例によるイメージスキャナを模式的に示す断面図である。
【図３】本発明の一実施例によるイメージスキャナを示す平面図である。
【図４】本発明の一実施例による留め部材を示す図であって、（ａ）は平面図、（ｂ）は（ａ）におけるＢ4−Ｂ4断面図である。
【図５】本発明の一実施例による留め部材を原稿ガイドに係止させた状態を示す図であって、（ａ）は平面図、（ｂ）は（ａ）におけるＢ5−Ｂ5断面図、（ｃ）は（ａ）におけるＣ5−Ｃ5断面図である。
【図６】本発明の一実施例による係止部を示す図であって、（ａ）は平面図、（ｂ）は（ａ）におけるＢ6−Ｂ6断面図である。
【図７】本発明の一実施例による留め部材を原稿ガイドに係止させる様子を説明するための模式図である。
【図８】本発明の一実施例による原稿台ガラスを原稿ガイドの嵌合溝に係止させた状態を示す断面図である。
【図９】本発明の一実施例によるイメージスキャナを示すブロック図である。
【符号の説明】
１０  イメージスキャナ
１２  筐体
１４  原稿台ガラス
１５  盤面
１６  原稿ガイド
１７ａ，１７ｂ，１７ｃ，１７ｄ  縁部
１８ａ，１８ｂ，１８ｃ，１８ｄ  内縁部
２０  リニアイメージセンサ
２４  キャリッジ
２６  副走査駆動部
３０  光学系
３４  ミラー
３６  集光レンズ
４０  走査部
５０  留め部材
５２  基部
５４  挟持部
５８ａ，５８ｂ  嵌合部
６０  溝
６２  基端部
６４  先端部
６６ａ，６６ｂ  ガイド壁
７０  係止部
７２ａ，７２ｂ  ガイド溝
７６  第一突部
７８  第二突部
８８  両面粘着テープ
９０  嵌合溝
９２  嵌合溝形成部材
９４  装着部
９５  溝形成部
９６  基端部
９７  先端部
１００  信号処理部
１０２  主走査駆動部
１１０  制御部
【図１】
0003932845.tif 000002
【図２】
0003932845.tif 000003
【図３】
0003932845.tif 000004
【図４】
0003932845.tif 000005
【図５】
0003932845.tif 000006
【図６】
0003932845.tif 000007
【図７】
0003932845.tif 000008
【図８】
0003932845.tif 000009
【図９】
0003932845.tif 000010